(57)【要約】【課題】  遊戯具に乗る際の入口に設けられて回転軸を中心としてモーターにて扉を回転する扉装置であり、扉に人が挟まってもケガすることがないように扉の回転が停止する扉装置の提供。【解決手段】  モーター８の主軸と扉２ａ，２ｂを回転する駆動軸との間には一定以上のトルク負荷が作用した際にはスリップを発生して駆動軸１６ｂの回転を停止するクラッチ１１を介在し、該クラッチ１１は金属板１２と磁石板１４，１４・・を凹部に嵌めた樹脂板１３とで構成し、該磁石板１４，１４・・を金属板１２に磁気力にて吸着している。【選択図】    図６
2006200209.tif 000002
【特許請求の範囲】
【請求項１】
遊戯具に乗る際の入口に設けられる扉装置において、回転軸を中心としてモーターにて回転する扉を有し、モーターの主軸と扉を回転する駆動軸との間には一定以上のトルク負荷が作用した際にはスリップを発生して駆動軸の回転を停止するクラッチを介在し、該クラッチは金属板と磁石板を凹部に嵌めた樹脂板とで構成し、該磁石板を金属板に磁気力にて吸着したことを特徴とする遊戯具の入口に設置される扉装置。
【請求項２】
上記扉の回転角度を規制する為にカムを設け、該カムの回転角度を検出する為のリミットスイッチを取付けた請求項１記載の遊戯具の入口に設置される扉装置。
【請求項３】
上記入口に２枚の扉を対にして設置し、両扉の開閉を互いに連動した請求項１、又は請求項２記載の遊戯具の入口に設置される扉装置。
【請求項４】
遊戯具に乗る際の入口に設けられる扉装置において、基台には回転軸を中心としてモーターにて回転する扉と、該扉に隣接して側柵を起立し、モーターの主軸と扉を回転する駆動軸との間には一定以上のトルク負荷が作用した際にはスリップを発生して駆動軸の回転を停止するクラッチを介在し、該クラッチは金属板と磁石板を凹部に嵌めた樹脂板とで構成し、該磁石板を金属板に磁気力にて吸着したことを特徴とする遊戯具の入口に設置される扉装置。
【発明の詳細な説明】
【技術分野】
【０００１】
本発明は子供、特に幼児が利用する遊戯具に乗る為の入口扉に関するものである。
【背景技術】
【０００２】
遊園地には色々な遊戯具が設置され、その周囲には入口を一箇所に設けた柵が沿設されて何所からでも入ることが出来ないように成っている。勿論、柵を設けていない遊戯装置もあるが、柵を沿設した場合には入口が必要となる。この入口にはクサリを掛け渡す最も簡単な方法もあれば、自動開閉扉を設置している場合もある。
【０００３】
入口に係員がいる場合には問題はないが、入口に１本のクサリを掛け渡すだけではその下側に大きな空間が存在し、小さな子供や幼児はこの空間をくぐり抜けてしまい、クサリを掛け渡す意味がなくなる。そこで、開きドアのように垂直軸を基準として回動することで開閉する扉装置を備える場合が多く、該扉は入口空間全体を閉鎖することが出来る反面、入口から入るタイミングが遅れることで該扉に挟まれてケガをする危険性も残る。
【０００４】
図９は遊戯装置の入口に多用されている扉を表している。柵(イ)が遊戯装置の周囲に沿設され、該柵(イ)は子供が入ることが出来ない高さを有し、又子供がくぐり抜けることの出来ない大きさの空間(ハ)、(ハ)・・を形成する複数の縦桟(ロ)、(ロ)・・が一定ピッチで起立している。そして、入口(ニ)には２枚の扉(ホ)、(ホ)が両側に起立するポール(へ)、(へ)に取付けられている。
【０００５】
２枚の上記扉(ホ)、(ホ)は対を成して取付けられ、扉(ホ)、(ホ)が閉じた状態では入口(ニ)から子供が侵入出来る空間は残されていない。そして、該扉(ホ)、(ホ)は外周の枠体に複数の横桟が設けられている。ところで、該扉(ホ)、(ホ)をモーターにて自動開閉する場合、同図(ａ)の点線で示すようにポール(へ)、(へ)を中心として揺動し、このように開いたところで入口(ニ)から中へ入ることが出来る。そして、開いた扉(ホ)、(ホ)は再び回転して入口(ニ)を閉じる。
【０００６】
しかし、子供や幼児は扉(ホ)、(ホ)が開いた時に中へ入るが、タイミングが遅れて閉じようとしている扉(ホ)、(ホ)に挟まれることがあり、その結果、ケガをする。扉(ホ)、(ホ)の開閉動作がゆっくり成るように制御したのでは、入口(ニ)を閉鎖する扉としての効果がなく、ある程度の速度で開閉する場合には両扉(ホ)、(ホ)に挟まれる危険性が高くなる。
【発明の開示】
【発明が解決しようとする課題】
【０００７】
このように、従来の開閉扉には上記のごとき問題がある。本発明が解決しようとする課題はこの問題点であり、入るタイミングが遅れて扉に挟まった場合であっても、ケガをすることがないように安全機構を備えた遊戯具の入口に設置される開閉扉装置を提供する。
【課題を解決するための手段】
【０００８】
本発明に係る扉は垂直に起立する回転軸を中心として回転することで開閉し、その動作は前記図９に示す扉(ホ)、(ホ)と同じである。上記回転軸を中心として回転することが出来る扉の枚数は２枚の場合に限らず、１枚だけとすることも出来る。ところで、扉の回転軸はモーターにて回転駆動されるが、扉に人が挟まった際には該回転軸が回転しないようにモーターの回転を遮断するクラッチを介在している。
【０００９】
上記クラッチは金属板と樹脂板、及び両板の間に介在する複数の磁石板とで構成し、磁石板は樹脂板面に形成した凹部に嵌って取付けられる。磁石板は金属板に所定の磁気力によって吸着し、モーターの回転を扉の回転軸へ該クラッチを介して伝達することが出来る。しかし、扉に人が挟まって回転軸に大きな負荷が発生した場合には、該クラッチが作動して磁石板と金属板との間でスリップが発生し、モーターの回転が該クラッチにより遮断される。
【００１０】
又、本発明では上記金属板又は樹脂板に板カムを重ね合わせて扉の回転角度をこの板カムによって制御することが出来る。すなわち、板カムの周囲にはリミットスイッチを配置して該板カムの回転角度をリミットスイッチにより検出するように構成している。ただし、センサーとしてはリミットスイッチに限定するものではない。
【発明の効果】
【００１１】
本発明の扉はモーターにて開閉動作が行われるが、しかしモーターと扉回転軸の間にはクラッチが介在している為に、人が扉に挟まった際には該クラッチがスリップして扉の回転は停止する。従って、子供や幼児が扉に挟まってケガをすることはなく、モーターを保護することも可能と成る。そして、該クラッチは金属板と樹脂板の間に磁石板を挟んで構成した簡単な構造であり、その製作費は安くなる。又、磁石の磁気力の強さは必要に応じて選択することが出来、同じ強さの磁石であっても介在する枚数を調整することで伝達トルクは調整され得る。
【実施例】
【００１２】
図１〜図５は入口に設置した扉の開閉状態を示している。同図に示すセットは基台１の中央部に設けている入口を開閉する為に扉２ａ，２ｂが対を成して取付けられ、該扉２ａ，２ｂの外側には側柵３ａ，３ｂが起立している。そこで、遊戯具を設置した周囲に柵が設けられ、この柵の一部開口に同図に示すセットを配置することで自動開閉入口を作ることが可能となる。従って、現場施工を行う必要がなく、工場で製作した該セットを設置するだけで完了する。
【００１３】
ところで、扉２ａ，２ｂは回転軸４ａ，４ｂを有して該回転軸を中心に回転することで入口５が開閉する。図１〜図５に示すように、対を成す両扉２ａ，２ｂは同じ回転角度で反対方向に回転して入口５を開閉することが出来るように、上記回転軸４ａ，４ｂの下端にはスプロケットが取着され、そして図６に内部構造図を表しているように、これら両スプロケット６ａ，６ｂにはチェーン７が巻き掛けられている。しかもチェーン７の巻き掛け形態は上記両スプロケット６ａ，６ｂの回転方向が反対になるように成っている。そして、このチェーン７はモーター８にて回転する駆動軸に取着したスプロケット９にも巻き掛けられている。
【００１４】
この場合、扉２ｂの回転軸４ｂに取着したスプロケット６ｂとの巻き掛け周長を大きくする為に、チェーンガイド１０が該スプロケット６ｂに隣接して設けられている。従って、モーター駆動軸のスプロケット９が右回転する場合、扉回転軸４ａの下端に取着したスプロケット６ａは同じ右回転するが、扉回転軸４ｂの下端に取着したスプロケット６ｂは逆に左回転を行うことが出来る。その結果、回転軸４ａ，４ｂを中心として回転する扉２ａ，２ｂは合い対向して開閉することが出来る。
【００１５】
ところで、上記駆動軸１６ｂはモーター８によって回転するが、モータ主軸と駆動軸１６ｂは直結されておらず、間にはクラッチ１１が介在している。従って、扉２ａ，２ｂの開閉に際して人に当った場合で、駆動軸１６ｂに一定以上の回転負荷が作用したならば、上記クラッチ１１がスリップしてモーターの回転を遮断することが出来る。
【００１６】
図７はクラッチ１１を表す具体例である。クラッチ１１は円形の金属板１２と円形の樹脂板１３とで構成され、樹脂板１３には円形の複数枚の磁石板１４，１４・・が取付けられている。樹脂板１３の上面１５には凹部が複数箇所に形成され、この凹部に磁石板１４，１４・・が嵌って取付けられ、該磁石板１４，１４・・はその磁気力にて上記金属板１２に吸着する。従って、該磁石板１４，１４・・を介してモーターの回転をスプロケット９へ伝達することが出来る。
【００１７】
駆動軸１６ａはモーター主軸と連結し、駆動軸１６ｂはスプロケット軸と連結しているが、駆動軸１６ｂに大きな負荷が作用した場合には、金属板１２と磁石板１４，１４・・との間にスリップが発生する。樹脂板１３には複数の磁石板１４，１４・・が取付けられるが、該磁石板１４の磁気力の強さを調整したり、又は使用枚数を調整することで負荷に対してスリップするトルクの大きさをコントロールできるクラッチとなる。
【００１８】
そして、上記駆動軸１６ｂにはカム１７が樹脂板１３と対面して取着され、該カム１７の周囲には図８に示しているように、リミットスイッチ１８ａ，１８ｂが取付けられている。そこで、駆動軸１６ｂと共にカム１７は回転し、この回転角度をリミットスイッチ１８ａ，１８ｂが検出して所定の位置でモーター８を停止し、同時に扉２ａ，２ｂの開閉動作が停止する。扉２ａ，２ｂが停止する位置は、入口５を閉じた場合と該入口５を開いた場合であり、扉２ａ，２ｂの開き度は該カム１７によって調整することが可能となる。扉２ａ，２ｂが図１〜図５に示すように開閉動作を行うには、１８０°の開度になるようなカム１７とし、リミットスイッチ１８ａ，１８ｂをそれに合わせて取付けている。
【図面の簡単な説明】
【００１９】
【図１】扉の開閉動作を表す扉装置。
【図２】扉の開閉動作を表す扉装置。
【図３】扉の開閉動作を表す扉装置。
【図４】扉の開閉動作を表す扉装置。
【図５】扉の開閉動作を表す扉装置。
【図６】扉装置の内部構造。
【図７】クラッチの具体例。
【図８】駆動軸に取付けたカムとリミットスイッチの関係。
【図９】従来の柵の入口に設けられる入口扉。
【符号の説明】
【００２０】
１  基台
２  扉
３  側柵
４  回転軸
５  入口
６  スプロケット
７  チェーン
８  モーター
９  スプロケット
10  チェーンガイド
11  クラッチ
12  金属板
13  樹脂板
14  磁石板
15  上面
16  駆動軸
17  カム
18  リミットスイッチ
【図１】
2006200209.tif 000003
【図２】
2006200209.tif 000004
【図３】
2006200209.tif 000005
【図４】
2006200209.tif 000006
【図５】
2006200209.tif 000007
【図６】
2006200209.tif 000008
【図７】
2006200209.tif 000009
【図８】
2006200209.tif 000010
【図９】
2006200209.tif 000011